【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  圧縮機、四方弁、室外熱交換器、減圧装置、気液分離器、室内熱交換器を順次冷媒配管で環状に接続して冷凍サイクルを形成し、前記気液分離器で分離されたガス冷媒を前記室内熱交換器と前記四方弁の間の冷媒配管に導くバイパス回路と、前記バイパス回路に設けられ、前記バイパス回路を開閉する開閉弁と、を備えた冷凍空調装置であって、制御部が、設定された室内温度とセンサーにより検出された室内吸い込み空気温度との差を演算し、その差に対応して前記開閉弁の開閉を行うことを特徴とする冷凍空調装置。
【請求項２】  圧縮機、四方弁、室外熱交換器、減圧装置、気液分離器、室内熱交換器を順次冷媒配管で環状に接続して冷凍サイクルを形成し、前記気液分離器で分離されたガス冷媒を前記室内熱交換器と前記四方弁の間の冷媒配管に導くバイパス回路と、前記バイパス回路に設けられ、前記バイパス回路を開閉する開閉弁と、を備えた冷凍空調装置であって、制御部が、設定された室内温度とセンサーにより検出された室内吸い込み空気温度との差を演算するとともに、前記圧縮機の運転開始からの経過時間を検出し、前記設定された室内温度と室内吸い込み空気温度との差および前記圧縮機の運転開始からの経過時間に対応して前記開閉弁の開閉を行うことを特徴とする冷凍空調装置。
【請求項３】  圧縮機、四方弁、室外熱交換器、減圧装置、気液分離器、室内熱交換器を順次冷媒配管で環状に接続して冷凍サイクルを形成し、前記気液分離器で分離されたガス冷媒を前記室内熱交換器と前記四方弁の間の冷媒配管に導くバイパス回路と、前記バイパス回路に設けられ、前記バイパス回路を開閉する開閉弁と、を備えた冷凍空調装置であって、制御部が、設定された室内温度とセンサーにより検出された室内吸い込み空気温度との差を演算するとともに、前記開閉弁の開閉切り換えからの経過時間を検出し、前記設定された室内温度と室内吸い込み空気温度との差および前記開閉弁の開閉切り換えからの経過時間に対応して前記開閉弁の開閉を行うことを特徴とする冷凍空調装置。
【請求項４】  圧縮機、四方弁、室外熱交換器、減圧装置、気液分離器、室内熱交換器を順次冷媒配管で環状に接続して冷凍サイクルを形成し、前記気液分離器で分離されたガス冷媒を前記室内熱交換器と前記四方弁の間の冷媒配管に導くバイパス回路と、前記バイパス回路に設けられ、前記バイパス回路を開閉する開閉弁と、を備えた冷凍空調装置であって、制御部が、設定された室内温度とセンサーにより検出された室内吸い込み空気温度との差を演算するとともに、前記室内熱交換器に送風する室内送風機の回転数を検出し、前記設定された室内温度と室内吸い込み空気温度との差および前記室内送風機の回転数に対応して前記開閉弁の開閉を行うことを特徴とする冷凍空調装置。
【請求項５】  前記制御部が、当該冷凍空調装置の電源入り時または前記圧縮機の起動時に前記開閉弁を閉じる動作を行うことを特徴とする請求項１から請求項４のいずれかに記載の冷凍空調装置。
【請求項６】  前記制御部が、冷媒回収運転時には前記開閉弁を閉じる動作を行うことを特徴とする請求項１から請求項４のいずれかに記載の冷凍空調装置。
【請求項７】  前記制御部が、前記開閉弁が開状態時は、前記圧縮機最大回転数を増加させることを特徴とする請求項１から請求項４のいずれかに記載の冷凍空調装置。
【請求項８】  前記制御部が、前記室内熱交換器の温度ムラ発生、もしくは前記室内熱交換器の異常温度低下を検知した際に前記開閉弁を閉じることを特徴とする請求項１から請求項４のいずれかに記載の冷凍空調装置。
【請求項９】前記室内熱交換器が熱的に分割された第１の熱交換器と、第２の熱交換器と、それらの間に設けられた流量制御弁から構成され、前記流量制御弁で冷媒循環量の調整が行われる冷房再熱除湿運転時は、前記制御部が前記開閉弁を閉状態で固定することを特徴とする請求項１から請求項４のいずれかに記載の冷凍空調装置。
【手続補正２】
【補正対象書類名】明細書
【補正対象項目名】０００９
【補正方法】変更
【補正の内容】
【０００９】
【課題を解決するための手段】
この発明の冷凍空調装置は、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算し、その差に対応して開閉弁の開閉を行うものである。
【手続補正３】
【補正対象書類名】明細書
【補正対象項目名】００１０
【補正方法】変更
【補正の内容】
【００１０】
また、この発明の冷凍空調装置は、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、圧縮機の運転開始からの経過時間を検出し、設定された室内温度と室内吸い込み空気温度との差および圧縮機の運転開始からの経過時間に対応して開閉弁の開閉を行うものである。
【手続補正４】
【補正対象書類名】明細書
【補正対象項目名】００１１
【補正方法】変更
【補正の内容】
【００１１】
また、この発明の冷凍空調装置は、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、開閉弁の開閉切り換えからの経過時間を検出し、設定された室内温度と室内吸い込み空気温度との差および開閉弁の開閉切り換えからの経過時間に対応して開閉弁の開閉を行うものである。
【手続補正５】
【補正対象書類名】明細書
【補正対象項目名】００１２
【補正方法】変更
【補正の内容】
【００１２】
また、この発明の冷凍空調装置は、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、室内熱交換器に送風する室内送風機の回転数を検出し、設定された室内温度と室内吸い込み空気温度との差および室内送風機の回転数に対応して開閉弁の開閉を行うものである。
【手続補正６】
【補正対象書類名】明細書
【補正対象項目名】００１３
【補正方法】変更
【補正の内容】
【００１３】
また、この発明の冷凍空調装置は、制御部が、当該冷凍空調装置の電源入り時または圧縮機の起動時に開閉弁を閉じる動作を行うものである。
【手続補正７】
【補正対象書類名】明細書
【補正対象項目名】００１４
【補正方法】変更
【補正の内容】
【００１４】
また、この発明の冷凍空調装置は、制御部が、冷媒回収運転時には開閉弁を閉じる動作を行うものである。
【手続補正８】
【補正対象書類名】明細書
【補正対象項目名】００１５
【補正方法】変更
【補正の内容】
【００１５】
また、この発明の冷凍空調装置は、制御部が、開閉弁が開状態の時は、圧縮機の最大回転数を増加させるものである。
【手続補正９】
【補正対象書類名】明細書
【補正対象項目名】００１６
【補正方法】変更
【補正の内容】
【００１６】
また、この発明の冷凍空調装置は、制御部が、室内熱交換器の温度ムラ発生、もしくは室内熱交換器の異常温度低下を検知した際に開閉弁を閉じるものである。
【手続補正１０】
【補正対象書類名】明細書
【補正対象項目名】００１７
【補正方法】変更
【補正の内容】
【００１７】
また、この発明の冷凍空調装置は、室内熱交換器が熱的に分割された第１の熱交換器と、第２の熱交換器と、それらの間に設けられた流量制御弁から構成され、流量制御弁で冷媒循環量の調整が行われる冷房再熱除湿運転時は、制御部が開閉弁を閉状態で固定するものである。
【手続補正１１】
【補正対象書類名】明細書
【補正対象項目名】００４２
【補正方法】変更
【補正の内容】
【００４２】
【発明の効果】
この発明は、以上に説明したように構成されているので、以下に示すような効果を有する。この発明の冷凍空調装置によれば、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算し、その差に対応して開閉弁の開閉を行うようにしたので、圧力損失の低減が可能となり同一周波数での冷房能力を高めることができる。また、圧力損失を低減させることにより、室内熱交換器における温度ムラが減少し送風機への着露を低減させることが可能となり、品質を高めることができる。
【手続補正１２】
【補正対象書類名】明細書
【補正対象項目名】００４３
【補正方法】変更
【補正の内容】
【００４３】
また、この発明の冷凍空調装置によれば、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、圧縮機の運転開始からの経過時間を検出し、設定された室内温度と室内吸い込み空気温度との差および圧縮機の運転開始からの経過時間に対応して開閉弁の開閉を行うようにしたので、圧力損失の低減が可能となり同一周波数での冷房能力を高めることができるとともに、冷媒脈動音の発生や冷凍サイクルが不安定になったりする問題を抑制することができる。
【手続補正１３】
【補正対象書類名】明細書
【補正対象項目名】００４４
【補正方法】変更
【補正の内容】
【００４４】
また、この発明の冷凍空調装置によれば、圧縮機、四方弁、室外熱交換器、減圧装置、気液分離器、室内熱交換器を順次冷媒配管で環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、開閉弁の開閉切り換えからの経過時間を検出し、設定された室内温度と室内吸い込み空気温度との差および開閉弁の開閉切り換えからの経過時間に対応して開閉弁の開閉を行うようにしたので、圧力損失の低減が可能となり同一周波数での冷房能力を高めることができるとともに、開閉弁の切り換え動作が減少し、開閉弁の寿命や開閉させるための電子部品の寿命が長くなり、さらには冷凍サイクルの安定が安定しやすくなる。
【手続補正１４】
【補正対象書類名】明細書
【補正対象項目名】００４５
【補正方法】変更
【補正の内容】
【００４５】
また、この発明の冷凍空調装置によれば、環状に接続して冷凍サイクルを形成し、気液分離器で分離されたガス冷媒を室内熱交換器と四方弁の間の冷媒配管に導くバイパス回路と、バイパス回路に設けられ、バイパス回路を開閉する開閉弁と、を備えた冷凍空調装置であって、制御部が、設定された室内温度とセンサーにより検出された室内吸い込み空気温度との差を演算するとともに、室内熱交換器に送風する室内送風機の回転数を検出し、設定された室内温度と室内吸い込み空気温度との差および室内送風機の回転数に対応して開閉弁の開閉を行うようにしたので、圧力損失の低減が可能となり同一周波数での冷房能力を高めることができるとともに、室内送風機の回転数が小さい時には開閉弁を閉じて、気液分離器で発生する冷媒脈動音の室内への伝搬を抑制することができる。
【手続補正１５】
【補正対象書類名】明細書
【補正対象項目名】００４６
【補正方法】変更
【補正の内容】
【００４６】
また、この発明の冷凍空調装置によれば、制御部が、当該冷凍空調装置の電源入り時または圧縮機の起動時に開閉弁を閉じる動作を行うようにしたので、開閉弁を動作させる開閉弁制御部と実際の開閉弁の開閉状態を合わせることができるとともに、市場での開閉弁の動作確認や製造ラインで開閉弁の動作チェックができる。
【手続補正１６】
【補正対象書類名】明細書
【補正対象項目名】００４７
【補正方法】変更
【補正の内容】
【００４７】
また、この発明の冷凍空調装置によれば、制御部が、冷媒回収運転時には開閉弁を閉じる動作を行うようにしたので、室内ユニットを通過しないショートサイクル運転を防止し、冷媒回収運転ができる。
【手続補正１７】
【補正対象書類名】明細書
【補正対象項目名】００４８
【補正方法】変更
【補正の内容】
【００４８】
また、この発明の冷凍空調装置によれば、制御部が、開閉弁が開状態の時は、圧縮機の最大回転数を増加させるようにしたので、開閉弁が開状態の時は、さらに高冷房能力運転ができる。
【手続補正１８】
【補正対象書類名】明細書
【補正対象項目名】００４９
【補正方法】変更
【補正の内容】
【００４９】
また、この発明の冷凍空調装置によれば、制御部が、室内熱交換器の温度ムラ発生、もしくは室内熱交換器の異常温度低下を検知した際に開閉弁を閉じるようにしたので、冷媒不足等の不良時に一端開閉弁を閉じて通常の冷房運転に切り換えて圧縮機の回転数を低下させて、品質を高めることができる。
【手続補正１９】
【補正対象書類名】明細書
【補正対象項目名】００５０
【補正方法】変更
【補正の内容】
【００５０】
また、この発明の冷凍空調装置によれば、室内熱交換器が熱的に分割された第１の熱交換器と、第２の熱交換器と、それらの間に設けられた流量制御弁から構成され、流量制御弁で冷媒循環量の調整が行われる冷房再熱除湿運転時は、制御部が開閉弁を閉状態で固定するようにしたので、第１室内熱交換器と第２室内熱交換器への冷媒循環量を確保することができる。